(57)【要約】【課題】頭髪とエクステンション毛の取り付けに関し接続時間、取り外し時間の短縮、取れ易さの回避、絡みの回避、頭髪へのダメージ軽減、接続部分が目立たず美観を損ねない事、接続及び取り外しに高度な技術を必要としない事、取り外した後の処理が容易であること、清潔である事。【解決手段】エクステンション毛の根元部分を接着剤で筒状に形成した上に、熱収縮チューブをかぶせ、筒の中に頭髪を通す為のループ状の取っ手つきナイロン糸を下から通し、輪の中に頭髪を入れナイロン糸の取っ手を下に引くことにより素早く簡単に接着場所を確定し、熱収縮チューブの外側から加熱する事で圧着と接着を同時に行い、強力に接着及び固定、保護する。【選択図】図１
2008202199.tif 000002
【特許請求の範囲】
【請求項１】
頭髪に、人毛エクステンション又は人工毛エクステンション及び髪飾り等を取り付ける為に使用する取り付け具であって、取り付けるエクステンション毛の根元部分の一部を接着剤等で筒状に形成した上に、熱収縮チューブをかぶせ、取っ手付きのナイロン糸等で作成した輪を、上記の接着剤等で筒状に形成した筒の中に通すことを特徴とする取り付け具。
【請求項２】
頭髪の一部を輪の中に通すステップと、取っ手を引き頭髪を筒状に形成した筒の中に通すステップと、取り付け位置を決めるステップと、熱収縮チューブの外側から加熱することにより接着剤等の溶解および熱収縮チューブの収縮が同時に行われるステップと、そのまま冷ますことによって接着と圧着が行われ、頭髪とエクステンション毛を固定するステップを特徴とする、頭髪とエクステンション毛の装着方法。
【発明の詳細な説明】
【技術分野】
【０００１】本発明は、頭髪と人毛エクステンション又は人工毛エクステンション及び髪飾り等を接続するための取り付け具、及び方法に関する。
【背景技術】
【０００２】頭髪と人毛エクステンション又は人工毛エクステンション及び髪飾り等（以下エクステンション毛とする）との取り付け方法の代表的なものとして、
（１）  一番普及している編込みによる接続法、
（２）  金属リングを利用してペンチで潰して接続する方法、
（３）  接着剤を利用して接続する方法、
【非特許文献１】ｈｔｔｐ：／／ｑｕｉｃｋ−ｅｘｔｅ．ｃｏｍ／ｅｘｔｅｎｓｉｏｎ＿ｆｅａｔｕｒｅ／が開示されている。  （４）  接着剤で接続の後、または編み込んだ後、熱収縮チューブやリングをかぶせ固定する方法、【非特許文献２】ｈｔｔｐ：／／ｗｗｗ．ｈａｉｒｎａｖｉ．ｃｏｍ／ｃａｃｈｅ／ｃａｃｈｅ＿ｅｘｔｅ／ｃａｃｈｅ．ｅｘｔｅ．ｈｔｍｌが開示されている。  （５）  クリップ等で接続する方法、【非特許文献３】ｈｔｔｐ：／／ｗｗｗ．ｗｉｇｌａｎｄ．ｊｐ／ｐｉｔｅｍ／４３８４７２９５が開示されている。
【０００３】（１）に関して、接続する際に時間と技術を要する、取り外しに時間がかかる、接続部分が大きく違和感が大きい、接続後しばらくたつと頭髪が伸びて編んだ部分が緩み、絡みの原因となる、洗髪後も接続部分に老廃物等が残り清潔でない。
（２）に関して、金属を潰して圧着するため頭髪及びエクステ毛を極端に傷める、金属のため硬く違和感がある、抜けてとれ易い。
（３）に関して、接続する際に時間と技術を要する、接続部分は小さいが美観が悪い、取り外しの際に大量のリムーバーを必要とする、取り外しに時間がかかる、取った後頭髪を元の状態に戻すのが大変。とれ易い。
（４）に関して、接続する際に時間と技術を要する、取り外しに時間がかかる、接続部分が大きい。
（５）に関して、接続部分が大きい、美観が悪い、簡単にとれてしまう、挟んでとめる為頭髪を傷つける。
【発明の開示】
【発明が解決しようとする課題】
【０００４】接続時間の大幅な短縮、取り外し時間の大幅な短縮、接続後の取れ易さの回避、接続後の絡みの回避、頭髪へのダメージ軽減、接続部分が目立たず美観を損ねない事、接続及び取り外しに高度な技術を必要としない事、取り外した後の処理が容易である事、清潔である事。
【課題を解決するための手段】
【０００５】頭髪とエクステンション毛の取り付け方法に関し、エクステンション毛の根元部分を熱収縮チューブの収縮温度と同程度で溶解するケラチン樹脂接着剤等で筒状に形成した上に、熱収縮チューブをかぶせ筒の中に取っ手付きのナイロン糸の輪を下から通す、輪の中に頭髪を入れナイロン糸の取っ手を引くことにより素早く簡単に接着場所を確定することが出来、熱収縮チューブの外側からアイロン等で温める事により圧着と接着を同時に行い、強力に接着及び固定、保護する。
また取り外しに関してアイロン等で温める事により簡単に取り外すことが出来る。
【発明の効果】
【０００６】根元部分をケラチン蛋白質含有接着剤等で筒状に作成したエクステンション毛に熱収縮チューブをかぶせ筒の中に取っ手付きのナイロン糸の輪を下から通す、輪の中に頭髪を入れナイロン糸の取っ手を引くことにより素早く簡単に接着場所を確定することが出来、熱収縮チューブの外側からアイロン等で温める事により接着剤の溶解と熱収縮が同時に行われ、強力に圧着、接着及び固定、保護する。包み込むよう均等に加圧されるため頭髪に負担がかからずエクステンション毛と頭髪を真っ直ぐ装着することが出来、絡まない。
取り付け時間はわずか１０秒足らずで他の取り付け方法より格段に早く技術を必要としない。【０００７】頭髪およびエクステンション毛と同色の熱収縮チューブを使用することにより目立たず接続部分の体積が格段に小さい為、接続部分が目立たず美観を損なわない。
取り外しに関して、アイロン等で温めエクステンション毛を軽く引っ張る事により簡単に取り外すことが出来る。取り外し時間も１０秒以内で格段に早い。
接着剤の量が非常に少ない為、市販のネイルリムーバー等  １、２滴でとれ、後処理も簡単で残ったケラチン蛋白質含有接着剤等は頭髪を傷めず保護する。
以上、他の全ての接続方法より大幅に勝っている。
【発明を実施するための最良の形態】
【０００８】（図１）の（Ａ）は、根元部分をケラチン蛋白質含有接着剤等で筒状に形成したエクステンション毛に熱収縮チューブをかぶせたものを上から見た断面図、（Ｂ）は、その側面図、側面断面図である。
エクステンション毛（符号３）の上部に熱収縮チューブ（符号１）の長さよりやや短い長さで接着剤（符号２）を溶解して付け、中心が空洞になるよう筒状に形成する。その上に熱収縮チューブ（符号１）をかぶせる。頭髪を通す為のループ状の取っ手つきナイロン糸（符号４）を下から筒の中に通し（図２）の（ａ）、（ｂ）、（ｃ）の順に、頭髪（符号５）をループの中に通し下から取っ手を引く事により筒の中に頭髪をすばやく通し、取り付け位置を確定することが出来る。その後、熱収縮チューブ（符号１）の外側より温熱アイロン等で加熱し（図３）（ｄ）のように、収縮と同時に溶解接着させ、そのまま冷ます事により（図３）（ｅ）のように強力に固定、保護する。
【図面の簡単な説明】
【０００９】
【図１】  （Ａ）、（Ｂ）、は取り付け具の構造図面。
【図２】  （ａ）、（ｂ）、（ｃ）、は取り付け手順。
【図３】  （ｄ）、（ｅ）、は収縮完了、取り付け完了図。
【符号の説明】
【００１０】１  熱収縮チューブ
２  接着剤
３  エクステンション毛
４  頭髪を通す為のループ状の取っ手つきナイロン糸
５  頭髪
６  収縮方向を表す
【図１】
2008202199.tif 000003
【図２】
2008202199.tif 000004
【図３】
2008202199.tif 000005